(57)【要約】【課題】書籍を購入せずに応募を行う者の発生を抑制可能な応募支援システムを提供する。【解決手段】二次元コード生成装置１と、印刷装置２と、応募受付装置４と、二次元コードを読取り可能な携帯電話機３とを備え、二次元コード生成装置１は、応募先データを含む応募用データが記録された二次元コードを生成し複数の子コードに分割して、各子コードを印刷装置２に送信し、印刷装置２は、送信された各子コードを印刷対象物に印刷し、携帯電話機３は、印刷された各子コードを読み取って元の二次元コードに記録された応募用データを表示して、その中の応募先データを用いて、入力された応募者特定情報を応募受付装置４に送信し、応募受付装置４は、送信された応募者特定情報に基づいて所定の応募受付処理を行う応募支援システム。【選択図】図１
2007233448.tif 000002
【特許請求の範囲】
【請求項１】
二次元コード生成装置と、
印刷装置と、
応募受付装置と、
前記応募受付装置に通信ネットワークを介して接続可能であるとともに二次元コードを読取り可能であって、二次元コードを分割することにより生成された二次元コード（以下、「子コード」という。）を複数読取ったときに、それらの子コードが１つの二次元コードから分割されたものであって、それらの子コード以外に該１つの二次元コードから分割された子コードがないときのみ、該１つの二次元コードに記録された情報を表示するように構成された二次元コード読取装置と、
を用いた応募支援方法であって、
前記二次元コード生成装置が、応募用データが記録された二次元コードを生成し、該二次元コードを複数の子コードに分割して、各子コードを、前記印刷装置に送信するか又は記録媒体に記録するコード生成ステップと、
前記印刷装置が、前記二次元コード生成装置から送信されるか又は前記記録媒体から読取った各子コードを、印刷対象物に印刷するコード印刷ステップと、
前記二次元コード読取装置が、前記印刷された複数の子コードを読み取って、前記応募用データを表示するコード読取りステップと、
前記二次元コード読取装置が、表示した前記応募用データを用いて、応募者特定情報を前記応募受付装置に送信する応募者特定情報送信ステップと、
前記応募受付装置が、前記二次元コード読取装置から送信された前記応募者特定情報に基づいて、所定の応募受付処理を行う応募受付ステップと、
を有することを特徴とする応募支援方法。
【請求項２】
前記二次元コード読取装置が携帯電話機であることを特徴とする請求項１記載の応募支援方法。
【請求項３】
二次元コード生成装置と、印刷装置と、応募受付装置と、前記応募受付装置に通信ネットワークを介して接続可能であるとともに二次元コードを読取り可能な二次元コード読取装置とを備えた応募支援システムであって、
前記二次元コード生成装置は、応募用データが記録された二次元コードを生成し、該二次元コードを複数の子コードに分割して、各子コードを、前記印刷装置に送信するか又は記録媒体に記録し、
前記印刷装置は、前記二次元コード生成装置から送信されるか又は前記記録媒体から読取った各子コードを、印刷対象物に印刷し、
前記二次元コード読取装置は、前記印刷された複数の子コードを読み取ったときに、それらの子コードが１つの二次元コードから分割されたものであって、それらの子コード以外に該１つの二次元コードから分割された子コードがないときのみ、該１つの二次元コードに記録された前記応募用データを表示して、ユーザの操作に応じて、前記応募用データを用いて、応募者特定情報を前記応募受付装置に送信し、
前記応募受付装置は、前記二次元コード読取装置から送信された前記応募者特定情報に基づいて、所定の応募受付処理を行う
ことを特徴とする応募支援システム。
【請求項４】
前記二次元コード読取装置が携帯電話機であることを特徴とする請求項３記載の応募支援システム。
【請求項５】
二次元コードが付された印刷物であって、前記二次元コードは、応募用データが記録された二次元コードを分割することにより生成された子コードであることを特徴とする印刷物。
【発明の詳細な説明】
【技術分野】
【０００１】
本発明は、懸賞等に対する応募を行わせるための応募支援方法、応募支援システム、及び、応募に利用される二次元コード付きの印刷物に関する。
【背景技術】
【０００２】
週刊誌や月刊誌等の書籍において毎回発表されるキーワードを集めて、そのキーワードが完成したことによって初めて応募することができる懸賞がある。かかる懸賞に応募しようとする者は、通常、その書籍を何号か続けて購入し、キーワードを完成させて、葉書等で応募していた。このため、このようなキーワードを集めさせる方法によれば、その書籍の販売数の増加が期待できるものとされていた。
【０００３】
なお、先行技術文献調査は行っていないので、記載すべき先行技術文献情報は無い。
【発明の開示】
【発明が解決しようとする課題】
【０００４】
しかし、上記従来の方法では、店頭での立ち読み等でキーワードを記憶すれば、その書籍を購入せずに応募することができる。すなわち、書籍を購入せずに応募を行う者が発生するため、必ずしも販売数の増加につながるものではないといった問題があった。
【０００５】
この発明は、上述した問題を解決するものであり、懸賞等の実施者側が購入させたい書籍等の物を購入せずに応募を行う者の発生を抑制可能な応募支援方法、応募支援システム、及び、印刷物を提供することを目的とする。
【課題を解決するための手段】
【０００６】
本発明の応募支援方法は、二次元コード生成装置と、印刷装置と、応募受付装置と、前記応募受付装置に通信ネットワークを介して接続可能であるとともに二次元コードを読取り可能であって、二次元コードを分割することにより生成された二次元コード（以下、「子コード」という。）を複数読取ったときに、それらの子コードが１つの二次元コードから分割されたものであって、それらの子コード以外に該１つの二次元コードから分割された子コードがないときのみ、該１つの二次元コードに記録された情報を表示するように構成された二次元コード読取装置と、を用いた応募支援方法であって、前記二次元コード生成装置が、応募用データが記録された二次元コードを生成し、該二次元コードを複数の子コードに分割して、各子コードを、前記印刷装置に送信するか又は記録媒体に記録するコード生成ステップと、前記印刷装置が、前記二次元コード生成装置から送信されるか又は前記記録媒体から読取った各子コードを、印刷対象物に印刷するコード印刷ステップと、前記二次元コード読取装置が、前記印刷された複数の子コードを読み取って、前記応募用データを表示するコード読取りステップと、前記二次元コード読取装置が、表示した前記応募用データを用いて、応募者特定情報を前記応募受付装置に送信する応募者特定情報送信ステップと、前記応募受付装置が、前記二次元コード読取装置から送信された前記応募者特定情報に基づいて、所定の応募受付処理を行う応募受付ステップと、を有することを特徴とする。
【０００７】
ここで、前記二次元コード読取装置が携帯電話機であることが好ましい。
【０００８】
本発明の応募支援システムは、二次元コード生成装置と、印刷装置と、応募受付装置と、前記応募受付装置に通信ネットワークを介して接続可能であるとともに二次元コードを読取り可能な二次元コード読取装置とを備えた応募支援システムであって、前記二次元コード生成装置は、応募用データが記録された二次元コードを生成し、該二次元コードを複数の子コードに分割して、各子コードを、前記印刷装置に送信するか又は記録媒体に記録し、前記印刷装置は、前記二次元コード生成装置から送信されるか又は前記記録媒体から読取った各子コードを、印刷対象物に印刷し、前記二次元コード読取装置は、前記印刷された複数の子コードを読み取ったときに、それらの子コードが１つの二次元コードから分割されたものであって、それらの子コード以外に該１つの二次元コードから分割された子コードがないときのみ、該１つの二次元コードに記録された前記応募用データを表示して、ユーザの操作に応じて、前記応募用データを用いて、応募者特定情報を前記応募受付装置に送信し、前記応募受付装置は、前記二次元コード読取装置から送信された前記応募者特定情報に基づいて、所定の応募受付処理を行うことを特徴とする。
【０００９】
ここで、前記二次元コード読取装置が携帯電話機であることが好ましい。
【００１０】
また、本発明の印刷物は、二次元コードが付された印刷物であって、前記二次元コードは、応募用データが記録された二次元コードを分割することにより生成された子コードであることを特徴とする。
【００１１】
ここで、「印刷対象物」とは、印刷の対象となる物を言い、例えば、書籍、書類（例えば、納品書、請求書、領収書等）、リーフレット、チラシ、包装用紙、包装用袋、包装用箱、包装用フィルム、瓶（例えば、飲料用ペットボトル、飲料用ガラス製瓶等）、缶（例えば、飲料用缶、食品用缶等）、その他の包装容器（例えば、飲料用紙パック、化粧品用チューブ等）、ラベル（例えば、飲料用ペットボトルの外周に取着されるラベル等）、シール、ワッペン、クーポン、チケット（例えば、回数券、入場券等）等があり、印刷前の状態の物（例えば、書籍を構成する各頁を印刷するための印刷用紙、書類を印刷するための印刷用紙、ラベルを印刷するためのプラスチックフィルム等）も含むものとする。
【００１２】
また、装置等に「送信する」と言うときは、その装置等に直接送信する場合のみならず、他の装置等を経てその装置等に届くように送信する場合も含むものとする。
【発明の効果】
【００１３】
本発明の応募支援方法又は応募支援システムによれば、応募用データが二次元コード化されているので、店頭等での立ち読みにより記憶しておくことが不可能であるのみならず、印刷されているのは子コードであって、元の二次元コードから分割された子コードを全部読取らなければ応募用データは表示されないので、携帯電話機を用いた無断撮影により応募用データを表示させようとしても、複数回の撮影が必要となって、非常に困難であり、特に子コードが印刷されている印刷物が複数号に分かれている場合には、実際上不可能である。したがって、子コードが付されている書籍等、懸賞等の実施者側が購入させたい物を購入せずに応募を行う者の発生を抑制できる。
【００１４】
また、二次元コード読取装置として、一般的に普及している携帯電話機を用いれば、読取りのための専用機器が不要であり、利用者にとって利用し易い。
【００１５】
本発明の印刷物によれば、元の二次元コードから分割された子コードを全部読取らなければ応募用データは表示されないので、携帯電話機を用いた無断撮影により応募用データを表示させようとしても、複数回の撮影が必要となって、非常に困難であり、特に子コードが印刷されている印刷物が複数号に分かれている場合には、実際上不可能である。したがって、子コードが付されている書籍等、懸賞等の実施者側が購入させたい物を購入せずに応募を行う者の発生を抑制できる。
【発明を実施するための最良の形態】
【００１６】
以下、本発明の一実施形態について、説明する。
【００１７】
図１に示すように、本実施形態の応募支援システムは、二次元コード生成装置１と、印刷装置２と、携帯電話機３と、応募受付装置４とから構成されている。二次元コード生成装置１と応募受付装置４とは、懸賞を実施する会社（本実施形態では、雑誌社）に設けられている。印刷装置２は、雑誌の印刷を行う印刷会社に設けられている。
【００１８】
二次元コード生成装置１は、コンピュータであり、処理部１１と記憶部１２と通信部１４と入力部１５と表示部１６とを備えている。二次元コード生成装置１は、通信回線５を介して印刷装置２に接続されている。
【００１９】
処理部１１は、ＣＰＵ、ＣＰＵのワークエリアとして動作するＲＡＭ、固定データを格納したＲＯＭ等から構成されている。
【００２０】
記憶部１２は、ハードディスク装置、光磁気ディスク装置、フレキシブルディスク装置、コンパクトディスク装置等から構成されている。
【００２１】
通信部１４は、他の機器との通信を行うときのインタフェースとなる部分であり、二次元コード生成装置１は、通信部１４を介して通信回線５に接続されている。
【００２２】
入力部１５は、キーボード、マウス等から構成され、ユーザの操作に応じて、応募用データを処理部１１に入力する。
【００２３】
表示部１６は、ディスプレイ装置である。
【００２４】
二次元コード生成装置１には、入力された応募用データを記録した二次元コードを生成し、その二次元コードを複数の子コードに分割するためのコード生成・分割プログラム、子コードを含む印刷用データを作成するための印刷用データ作成プログラム、印刷用データを印刷装置２に送信するための送信プログラム等が、インストールされている。
【００２５】
なお、本実施形態の二次元コードは、二次元バーコードとも言い、より具体的には、株式会社デンソーウェーブのＱＲコード（登録商標）である。二次元コードを分割すると１つ１つが小さくなるため、従来、二次元コードの分割は、そのままでは二次元コードを印刷するスペースが足りないときに行われていた。
【００２６】
また、ＱＲコードを生成して分割するためのプログラムとしては、例えば、株式会社デンソーウェーブの「ＱＲ  ｄｒａｗ  ｊｒ．」、アイニックス株式会社の「ＢａｒＳｔａｒ  Ｐｒｏ  Ｖ１．３」等がある。上述したコード生成・分割プログラムは、かかるプログラムを利用するものであり、入力された応募用データをかかるプログラムに渡して、かかるプログラムにより応募用データが記録された二次元コードを生成し、その二次元コードを所定数の子コードに分割して、それらの子コードを記憶部１２内の指定されたファイルに記憶するように、二次元コード生成装置１を機能させるものである。
【００２７】
処理部１１は、上述したようなインストールされたプログラムに従って、入力された応募用データからの二次元コードの生成と分割、印刷用データの作成、印刷装置２への印刷用データの送信等を行う。
【００２８】
印刷装置２は、コンピュータ２１と、通信回線６を介してコンピュータ２１に接続された印刷部２２とを備えている。
【００２９】
コンピュータ２１は、処理部２１１と記憶部２１２と通信部２１４と入力部２１５と表示部２１６とを備えている。
【００３０】
処理部２１１は、ＣＰＵ、ＣＰＵのワークエリアとして動作するＲＡＭ、固定データを格納したＲＯＭ等から構成されている。
【００３１】
記憶部２１２は、ハードディスク装置、光磁気ディスク装置、フレキシブルディスク装置、コンパクトディスク装置等から構成されている。
【００３２】
通信部２１４は、他の機器との通信を行うときのインタフェースとなる部分であり、コンピュータ２１は、通信部２１４を介して通信回線５、６に接続されている。
【００３３】
入力部２１５は、キーボード、マウス等から構成され、ユーザの操作に応じて、印刷指令等の各種指令等を、処理部２１１に入力する。
【００３４】
表示部２１６は、ディスプレイ装置である。
【００３５】
コンピュータ２１には、入力された印刷指令に応じて印刷用データを印刷部２２に送信し印刷させるための印刷プログラム等が、インストールされている。処理部２１１は、かかるインストールされたプログラムに従って、印刷部２２への印刷命令と印刷用データの送信等を行う。
【００３６】
印刷部２２は、プリンタであり、処理部２１１からの印刷命令に応じて、印刷用データを印刷する。
【００３７】
携帯電話機３は、二次元コードを読取り可能かつインターネットに接続可能な機種であり、二次元コード読取装置となるものである。かかる機種としては、ＫＤＤＩ株式会社（ａｕ（商標又は登録商標））のＡ５５１７Ｔ、Ａ５５１６Ｔ、Ａ５５１５Ｋ、Ａ５５１４ＳＡ、株式会社エヌ・ティ・ティ・ドコモのＦＯＭＡ（登録商標）  ９０２ｉシリーズ、９０１ｉシリーズ、ボーダフォン株式会社の８０４ＳＨ、９０３Ｔ、９０３ＳＨ、８０３Ｔ，７０３ＳＨｆ等がある。かかる機種は、いずれも、分割された二次元コード（すなわち、子コード）を読み取って結合することができる。すなわち、携帯電話機３は、子コードを複数読取ったときに、それらの子コードが１つの二次元コード（以下、「元の二次元コード」という。）から分割されたものであって、それらの子コード以外に元の二次元コードから分割された子コードがないときのみ、元の二次元コードに記録された情報を表示するように構成されている。携帯電話機３による二次元コードの読取りは、所定の撮影操作によって行われる。
【００３８】
携帯電話機３の動作について詳説すると、携帯電話機３は、二次元コードを読取ったとき、その二次元コードが有する情報に基づいて、続きの二次元コード（すなわち、残りの子コード）があるか否かを判断し、あると判断すれば、その旨のメッセージを表示して、利用者に続きの二次元コードの読取り操作を促す。利用者が所定時間内に続きの二次元コードの読取り操作を行わなければ、前の二次元コードの読取りを無効とする。また、続きの二次元コードとして、異なる二次元コードから分割された子コードを読取った場合、携帯電話機３は、エラーメッセージを表示する。そして、携帯電話機３は、続きの二次元コードがないと判断した場合、すなわち、ある二次元コードから分割された子コードを所定時間内に全て読取った場合には、それらの子コードを結合し、その結合の結果得られた情報（すなわち、元の二次元コードに記録された情報）を画面上に表示する。
【００３９】
応募受付装置４は、コンピュータであり、処理部４１と記憶部４２と通信部４４と入力部４５と表示部４６とを備えている。
【００４０】
処理部４１は、ＣＰＵ、ＣＰＵのワークエリアとして動作するＲＡＭ、固定データを格納したＲＯＭ等から構成されている。
【００４１】
記憶部４２は、ハードディスク装置、光磁気ディスク装置、フレキシブルディスク装置、コンパクトディスク装置等から構成されている。記憶部４２には、応募者データが格納（記憶）される応募者データベース４２１が構築されている。本実施形態では、応募者データは住所と氏名とメールアドレスとからなる。応募者データベース４２１には、図８に示すように、各応募者の受付番号と住所と氏名とメールアドレスとが格納される。受付番号は、受付順に処理部４１が振る。応募者データには、少なくとも、応募者を特定するための情報（以下、「応募者特定情報」という。）が含まれている。本実施形態では、応募者特定情報は、住所及び氏名とする。
【００４２】
通信部４４は、他の機器との通信を行うときのインタフェースとなる部分である。応募受付装置４は、通信部４４を介してインターネット７に接続され、Ｗｅｂサーバとして機能する。
【００４３】
入力部４５は、キーボード、マウス等から構成され、ユーザの操作に応じて、抽選指令等の各種指令等を処理部４１に入力する。
【００４４】
表示部４６は、ディスプレイ装置である。
【００４５】
応募受付装置４には、携帯電話機３から受信した応募メールを検査して、未受付の応募者データを応募者データベース４２１に格納し、受付完了通知を携帯電話機３に返信するための応募受付プログラム、応募者データベース４２１中の応募者データから所定数の応募者データを選択（抽選）し、抽選結果通知を携帯電話機３に送信するための抽選プログラム等が、インストールされている。
【００４６】
処理部４１は、かかるインストールされたプログラムに従って、応募メールの検査、応募者データの格納、及び、受付完了通知の返信を行う応募受付処理、応募者データベース４２１中の応募者データから所定数の応募者データを選択する抽選を行い、抽選結果通知を送信する抽選処理等を行う。
【００４７】
以上のように構成された応募支援システムを用いた応募支援方法について、図２のフローチャートに基づいて説明する。本実施形態では、図３に示すように、二次元コードを５つに分割し、月刊誌である雑誌の１〜５月号にそれぞれ子コードを付すものとする。すなわち、本実施形態で子コードが付される印刷物は、雑誌（書籍）である。
【００４８】
まず、雑誌社の者は、コード生成・分割プログラムを起動し、入力部１５を用いて、二次元コード生成装置１に応募用データを入力して、所定の操作を行う（図２のＳ０１）。応募用データとは、応募に用いられるデータであり、少なくとも、何に対する応募かを示す情報（以下、「応募対象特定情報」という。）を含んでいる。なお、本実施形態の応募用データは、図４に示すようなテキストデータとする。このテキストデータには、応募先データとして応募受付装置４のメールアドレス（図４では、「ａｂｃｄ＠ｅｆｇ．ｃｏ．ｊｐ」）が含まれ、応募対象特定情報として、所定の件名（図４では、「月刊ＡＢＣ１月号〜５月号キャンペーン」）が含まれ、さらに、住所及び氏名からなる応募者特定情報を入力するための定型様式データが含まれている。
【００４９】
〈コード生成ステップ〉二次元コード生成装置１の処理部１１は、コード生成・分割プログラムに従って、応募用データが記録された二次元コードを生成し、その二次元コードを、コードａ〜ｅの５つの子コードに分割し表示部１６に表示する（図２のＳ０２、図３のＳ１０１）。雑誌社の者がコードａ〜ｅの保存先ファイルを指定すると、処理部１１は、コードａ〜ｅを記憶部１２内の指定されたファイルに記憶する。図５は、図４の応募用データが記録された二次元コードであり、図６（ａ）〜（ｅ）は、それぞれコードａ〜ｅである。
【００５０】
雑誌社の者は、１月号の印刷用データを作成する際、印刷用データ作成プログラムを起動し、印刷する子コード（ここでは、コードａ）の指定操作（保存先ファイルからのコピー操作等）や各種記事の入力操作等、所定の操作を行う。処理部１１は、印刷用データ作成プログラムに従って、指定された子コード、すなわちコードａを記憶部１２から読み出して印刷用データに含め、印刷用データを作成する（図２のＳ０３）。そして、雑誌社の者は送信プログラムを起動し、送信する印刷用データの指定操作等、所定の操作を行う。これに応じて、処理部１１は、指定された印刷用データを印刷装置２に送信する（図２のＳ０４）。
【００５１】
〈コード印刷ステップ〉印刷装置２のコンピュータ２１は、印刷用データを受信し（Ｓ０５）、記憶部２１２に記憶する。そして、印刷会社の者が入力部２１５を用いて印刷指令を入力すると、処理部２１１が印刷用データを記憶部２１２から読出して、印刷命令と共に印刷部２２に出力し、印刷部２２は印刷用データを印刷対象物（本実施形態では、雑誌の各頁を印刷するための印刷用紙）に印刷する（Ｓ０６）。これにより、雑誌の１月号の各頁が印刷されるとともに、その所定頁にはコードａが印刷される。印刷された各頁は製本されて、雑誌の形態となる。
【００５２】
同様にして、２月号にはコードｂ、３月号にはコードｃ、４月号にはコードｄ、５月号にはコードｅが、それぞれ印刷される（図３参照）。
【００５３】
〈コード読取りステップ〉応募希望者(携帯電話機３のユーザ）は、１〜５月号を手元に揃え、コードａ〜ｅを携帯電話機３で所定時間内に読取る（図２のＳ０７、図３のＳ１０２）。すると、携帯電話機３は、コードａ〜ｅを結合して、元の二次元コードに記録されている応募用データを取得し、携帯電話機３の表示部に表示する。本実施形態では、図４に示すテキストデータが表示される。
【００５４】
〈応募者特定情報送信ステップ〉応募希望者は、表示された応募用データ中の定型様式データに応募者特定情報（本実施形態では、住所及び氏名）を入力し、メールアドレス「ａｂｃｄ＠ｅｆｇ．ｃｏ．ｊｐ」を宛先とし、件名「月刊ＡＢＣ１月号〜５月号キャンペーン」を件名として、メール（以下、「応募メール」という。）を送信する（図２のＳ０８、図３のＳ１０３）。
【００５５】
〈応募受付ステップ〉応募受付装置４は、メールアドレス「ａｂｃｄ＠ｅｆｇ．ｃｏ．ｊｐ」宛てに送信された応募メールを受信し（図２のＳ１０）、応募受付プログラムに従って応募受付処理を行う（Ｓ１１）。本実施形態の応募受付処理は、図７に示すように、応募メールの検査処理（図７のＳ１１１〜Ｓ１１６）、応募者データの格納処理（Ｓ１１７）、及び、受付完了通知の返信処理（Ｓ１１８）からなる。
【００５６】
詳しくは、応募受付装置４の処理部４１は、受信した応募メールの件名が所定の件名（本実施形態では、「月刊ＡＢＣ１月号〜５月号キャンペーン」）か否かを判定し（Ｓ１１１）、所定の件名でなければ、応募メールに添付されている送信元メールアドレスを用いて、携帯電話機３に、応募受付できない旨のメールを返信する（Ｓ１１２）。
【００５７】
一方、所定の件名であれば、応募メール中のデータに不足はないか（本実施形態では、住所及び氏名が両方とも入力されているか）否かを判定する（Ｓ１１３）。そして、不足があれば、携帯電話機３に、記入漏れがあるので応募受付できない旨のメールを返信し（Ｓ１１４）、不足がなければ、受付済みの応募者か否かを判定する（Ｓ１１５）。この判定は、応募メール中の応募者特定情報と、応募者データベース４２１中の応募者特定情報とを照合し、一致するものがあるか否かで判定する。
【００５８】
処理部４１は、一致するものがあれば受付済みとして、携帯電話機３に、既に応募受付済みである旨のメールを返信し（Ｓ１１６）、一致するものがなければ未受付であるとして、応募メール中の応募者特定情報を応募者データベース４２１に格納する（Ｓ１１７）。このとき、処理部４１は、各応募者のメールアドレスとして、応募メールに添付されている送信元メールアドレスを、応募者データベース４２１に格納する。また、その送信元メールアドレスを用いて、応募受付を完了した旨のメール（受付完了通知）を携帯電話機３に返信する（Ｓ１１８）。
【００５９】
雑誌社の者は、所定の応募受付期間終了後、応募受付装置４において、抽選プログラムを起動する。すると、処理部４１は、抽選プログラムに従って、抽選処理を行う（図２のＳ１３、図３のＳ１０４）。本実施形態の抽選処理では、処理部４１が、応募者データベース４２１中の各応募者データから、所定の選択方法に従って所定数の応募者データを選択する。この選択された応募者データ中の応募者特定情報で示される応募者を、当選者とする。そして、処理部４１は、応募者データベース４２１中のメールアドレスを用いて、当選者の携帯電話機３に当選の旨のメール（抽選結果通知）を送信し、当選者以外の応募者の携帯電話機３に落選の旨のメール（抽選結果通知）を送信する。これにより、携帯電話機３は、抽選結果通知を受信する（図２のＳ１４）。また、処理部４１は、選択された応募者データ中の応募者特定情報を含む抽選結果を、応募受付装置４に接続された印刷装置（図示せず）に送信して、出力（印刷）させる。雑誌社の者は、印刷された応募者特定情報を用いて賞品等を発送する。
【００６０】
以上説明したように、本実施形態の応募支援システムによれば、応募用データが二次元コード化されているので、店頭等での立ち読みにより記憶しておくことが不可能であるのみならず、印刷されているのは子コードであって、元の二次元コードから分割された子コードを全部読取らなければ応募用データは表示されないので、携帯電話機３を用いた無断撮影により応募用データを表示させようとしても、複数回の撮影が必要となって、店頭での無断撮影が厳しく規制されている現在では非常に困難である。このため、子コードが付されている書籍を購入せずに応募を行う者の発生を抑制できる。
【００６１】
特に、現在実用化されている二次元コード読取り可能な携帯電話機３は、所定時間内に連続して子コードを読取らなければ元の二次元コードの内容を復元できない構成となっているため、本実施形態のように、子コードが印刷されている印刷物を複数号に分ければ、店頭での複数回の撮影により応募用データを表示させることは実際上不可能であり、応募しようとする者は、必要な複数号を手元に揃えざるを得ない。このため、子コードが付されている書籍を購入せずに応募を行う者の発生を抑制できる。
【００６２】
また、二次元コード読取装置として、一般的に普及している携帯電話機３を用いれば、読取りのための専用機器が不要であり、利用者にとって利用し易い。
【００６３】
また、個々の商品を識別するための商品識別コードを記録した二次元コードを、分割せずに商品に付しておき、応募者が複数個の商品の二次元コードを読取って、商品識別コードを応募者データと共にメールで送信すると、応募受付装置が、応募者データに基づいて同一応募者か否かを判断するとともに、商品識別コードに基づいて異なる商品か否かを判断し、同一応募者から所定数量の異なる商品についてのメールを受信したときに、初めてその応募者の応募権を発生させるように構成されたシステムでは、同一商品により複数回のメールを送信して、あたかも複数個の商品を購入したように見せかける不正は防止できるものの、新たに受信した商品識別コードと過去に受信した商品識別コードとの照合が必要であり、応募受付期間中受信した商品識別コードを全て保存・管理しておく必要があるため、応募受付装置に掛かる負荷が大きい。しかし、本実施形態の応募支援システムによれば、応募者側で必要な子コードを全て揃えなければメールの送信そのものが不可能であり、子コードの保存・管理は応募者側に任されることとなるため、応募受付装置に掛かる負荷は小さい。
〈変形例〉
以下、変形例について説明する。
【００６４】
（１）１つの書籍中に、同じ二次元コードから分割された子コードを複数配置するようにしてもよい。かかる例について、図９を用いて説明する。図９の例では、応募用データを記録した二次元コードを、コードＡ〜Ｄの４つに分割し（Ｓ２０１）、同一雑誌の同一号の異なる頁に印刷する。図９では、Ａ社の広告掲載頁にコードＡ、Ｂ社の広告掲載頁にコードＢ、Ｃ社の広告掲載頁にコードＣ、Ｄ社の広告掲載頁にコードＤを印刷する。応募希望者は、携帯電話機３を用いて各広告掲載頁から所定時間内にコードＡ〜Ｄを読取る（Ｓ２０２）。携帯電話機３はコードＡ〜Ｄを結合して元の二次元コードに記録された応募用データを表示するので、応募希望者は、その応募用データ中の定型様式データに必要事項を記入し、応募用データ中の応募先データを用いてメールを送信する（Ｓ２０３）。雑誌社の応募受付装置４は、上記実施形態と同様に抽選等を実施する（Ｓ２０４）。
【００６５】
これによれば、応募希望者は、Ａ〜Ｄ社の広告掲載頁を必ず見ることとなるので、広告効果を高めることができる。
【００６６】
（２）子コードを付す印刷物は、書籍に限らず、例えば納品書等の書類や、リーフレット、チラシ、包装用紙、包装用袋、包装用箱、包装用フィルム、瓶（例えば、飲料用ペットボトル、飲料用ガラス製瓶等）、缶（例えば、飲料用缶、食品用缶等）、その他の包装容器（例えば、飲料用紙パック、化粧品用チューブ等）、ラベル（例えば、飲料用ペットボトルの外周に取着されるラベル等）、シール、ワッペン、クーポン、チケット（例えば、回数券、入場券等）等であってもよい。例えば、同一の消費者から通信販売の注文があると、その納品書に子コードを１つずつ印刷するように構成し、所定回数の注文により子コードが全部揃ったときに、消費者が応募メールを送信できるようにすれば、顧客の長期的な囲い込みや定期購買につなげることができる。
【００６７】
（３）応募用データは、テキストデータに限らず、例えばメール形式データでもよい。メール形式データとは、携帯電話機３において、そのデータから宛先、件名、本文等が転記される等により、容易にメールが作成できるように構成されたデータである。但し、現在は携帯電話会社によって形式が異なっており、ある携帯電話会社用のメール形式データは、他の携帯電話会社用の携帯電話機３では、例えば宛先及び件名が本来の転記先ではなく本文部分に転記されるため、メール送信のためには改めて宛先及び件名を本来の形式に沿って入力し直す必要がある等、不都合が生じる。
【００６８】
メール形式データを用いた例を、図１０〜１２に示す。図１０は、メール形式データを二次元コード化し、２つの子コードに分割したものであり、これらの子コードを携帯電話機３で読取ることにより、図１１に示すようなメール形式データが表示される。次に、携帯電話機３はメール作成画面に移動することを確認する表示をするため、ユーザは、メール作成画面に移動することを選択し、その画面にて必要事項を入力する。必要事項が入力されたメール作成画面の内容を図１２に示す。
【００６９】
このようにメール形式データを用いれば、応募希望者は容易に、応募メールを作成し送信することができる。特にどの携帯電話会社の携帯電話機３を用いてもいいように形式が統一された場合には、応募用データはメール形式データとすることが望ましい。
【００７０】
（４）また、応募用データに含まれる応募先データは、応募受付装置４に応募者データを送信可能とするデータであればよく、メールアドレスに限らず、例えばＵＲＬであってもよい。ＵＲＬを用いた例を挙げると、二次元コード生成装置１は、応募先データとして、応募受付ページのＵＲＬを、他の必要なデータと共に二次元コードに格納し、その二次元コードを複数の子コードに分割する。応募受付ページは、Ｃｏｍｐａｃｔ  ＨＴＭＬ等の携帯電話機対応言語で記載されたＷｅｂページであり、応募者特定情報である住所及び氏名を入力し送信するためのフォームを備え、応募受付装置４の記憶部４２に格納されている。携帯電話機３が全ての子コードを読取って結合すると、携帯電話機３の表示部には、応募受付ページのＵＲＬが表示される。応募希望者が携帯電話機３でそのＵＲＬにアクセスすると、携帯電話機３は、応募受付装置４にそのＵＲＬで示される応募受付ページの送信を要求し、応募受付装置４は、それに応じて応募受付ページを携帯電話機３に送信し、携帯電話機３には、応募受付ページが表示される。応募希望者が応募受付ページにおいて住所及び氏名を入力し、所定の操作を行うと、入力された住所及び氏名が応募受付装置４に送信される。応募受付装置４は、受信した住所及び氏名を用いて、所定の応募受付処理を行う。
【００７１】
（５）応募用データは少なくとも応募対象特定情報を含むものであればよい。本実施形態では件名を応募対象特定情報としたが、応募先データを応募対象特定情報としてもよい。例えば、応募先データを所定のメールアドレスとし、そのメールアドレスに送信された応募メールは所定の懸賞に対する応募であるとみなせば、メールアドレスが、どの懸賞に対する応募かを示すこととなり、応募対象特定情報となる。また、応募先データをＵＲＬとし、そのＵＲＬが示すＷｅｂページを用いて入力され送信された応募者特定情報は、所定の懸賞に対する応募者の情報であるとみなせば、ＵＲＬが応募対象特定情報となる。また、例えば懸賞名等の応募対象特定情報が本文中に入るように、応募用データを構成してもよい。
【００７２】
（６）本実施形態では、応募者特定情報を応募者の住所及び氏名からなるものとした（すなわち、住所及び氏名が同じであれば、メールアドレスが異なっていても同一の応募者とした）が、応募者特定情報を応募者のメールアドレスのみとしてもよい。かかる場合には、応募希望者が携帯電話機３から応募メールを送信したときに、携帯電話機３が保持しているメールアドレスが応募受付装置４に送信されるので、そのメールアドレスを応募者特定情報とすればよく、住所及び氏名の入力を必須としなくてもよい。このようにすれば、コード生成時の二次元コード生成装置１の処理負担や、応募受付装置４の処理負担を軽減できる。また、応募者特定情報を、住所、氏名、及び、メールアドレスからなるものとすることもできる。このように、応募者特定情報としてどのような情報を用いるかは、二次元コード生成装置１や応募受付装置４の処理負担等を考慮して、適宜変更可能である。
【００７３】
また、応募者特定情報は、ユーザにより入力された情報とは限らず、メールアドレスのように携帯電話機３が保持していた情報でもよい。すなわち、応募者特定情報は、携帯電話機３に入力された情報又は携帯電話機３に保持されている情報のいずれか一方又は両方からなるものとすることができる。
【００７４】
（７）応募受付処理は、少なくとも応募者特定情報の記憶部４２への格納を行うものであればよく、応募メールの検査を行うか否か、受付完了通知の返信を行うか否かは任意である。
【００７５】
（８）二次元コード読取装置として、携帯電話機３以外のものを用いてもよい。例えば、二次元コード読取装置として、ハンディターミナルとパーソナル・コンピュータとを接続したものを用い、ハンディターミナルで各子コードを読取って元の二次元コードの内容をパーソナル・コンピュータに送信し、パーソナル・コンピュータにおいて応募者特定情報を入力して応募受付装置４に送信するように構成してもよい。但し、一般に普及している携帯電話機３を用いれば、読取りのための専用機器が不要となって、利用者が利用し易い。
【００７６】
（９）二次元コード生成装置１と応募受付装置４とを、同じコンピュータで構成する等、一体としてもよい。また、懸賞を実施する会社で印刷も行う場合等には、印刷装置２を印刷部２２のみで構成し、二次元コード生成装置１から直接印刷部２２に印刷用データと印刷命令とを出力することとして、コンピュータ２１を不要とする構成も採り得る。また、印刷装置２が二次元コード生成装置１に組み込まれている構成とする等、二次元コード生成装置１と印刷装置２とを一体としてもよい。さらに、二次元コード生成装置１と印刷装置２と応募受付装置４とを一体としてもよい。
【００７７】
（１０）二次元コード生成装置１と印刷装置２とを互いに接続しない構成としてもよい。かかる場合には、子コードを含む印刷用データを、記憶部１２に装着された着脱可能な記録媒体（例えば、コンパクトディスク）に記録し、その記録媒体を印刷装置２の記憶部２１２に装着して読込むことにより、印刷装置２が印刷用データを取得するようにしてもよい。
【００７８】
すなわち、特許請求の範囲を逸脱しない範囲で、本発明は種々の構成を採り得る。
【図面の簡単な説明】
【００７９】
【図１】本発明の一実施形態に係る応募支援システムの概略構成図である。
【図２】同実施形態に係る応募支援システムの処理の流れを示すフローチャートである。
【図３】雑誌の１〜５月号にそれぞれ子コードを付す場合の流れを示すフローチャートである。
【図４】同実施形態に係る応募用データの内容を示す図である。
【図５】図４の応募用データを記録した二次元コードである。
【図６】（ａ）〜（ｅ）は、図５の二次元コードを５つに分割したときの各子コードである。
【図７】同実施形態に係る応募支援システムの応募受付処理の流れを示すフローチャートである。
【図８】同実施形態に係る応募者データベースの内容を示す図である。
【図９】同じ雑誌の複数頁にそれぞれ子コードを付す場合の流れを示すフローチャートである。
【図１０】メール形式データの一例を記録した二次元コードを２つに分割したときの各子コードである。
【図１１】図１０の各子コードを読み取ったときに表示されるメール形式データの内容を示す図である。
【図１２】図１１のメール形式データに基づいて作成されたメールの内容を示す図である。
【符号の説明】
【００８０】
１…二次元コード生成装置
２…印刷装置
３…携帯電話機（二次元コード読取装置）
４…応募受付装置
【図１】
2007233448.tif 000003
【図２】
2007233448.tif 000004
【図３】
2007233448.tif 000005
【図４】
2007233448.tif 000006
【図５】
2007233448.tif 000007
【図６】
2007233448.tif 000008
【図７】
2007233448.tif 000009
【図８】
2007233448.tif 000010
【図９】
2007233448.tif 000011
【図１０】
2007233448.tif 000012
【図１１】
2007233448.tif 000013
【図１２】
2007233448.tif 000014